(57)【特許請求の範囲】
【請求項１】
底部と、該底部に立設された壁部とを有し、前記底部と前記壁部とで形成された収納空間を備える容器と、
端部に液体が出入りする口部を有し、可撓性を有する容器本体を備える小容器とを有し、
前記底部には、段差と、前記口部が前記底部に臨むように前記底部に対して前記小容器が起立した状態で、前記口部を支持する支持部が設けられていることを特徴とする医療用具セット。
【請求項２】
前記支持部は、前記底部の深さの深い方の部位に設けられている請求項１に記載の医療用具セット。
【請求項３】
底部と、該底部に立設された壁部とを有し、前記底部と前記壁部とで形成された収納空間を備える容器と、
端部に液体が出入りする口部を有し、可撓性を有する容器本体を備える小容器とを有し、
前記底部には、前記口部が前記底部に臨むように前記底部に対して前記小容器が起立した状態で、前記口部を支持する支持部が設けられており、
前記小容器は、前記容器本体を変形させることにより前記口部から液体を吸引可能なものであり、前記支持部により前記口部が支持された状態で、前記収納空間に液体を貯留したとき、該液体を吸引可能であることを特徴とする医療用具セット。
【請求項４】
底部と、該底部に立設された壁部とを有し、前記底部と前記壁部とで形成された収納空間を備える容器と、
端部に液体が出入りする口部を有し、可撓性を有する容器本体を備える小容器とを有し、
前記底部には、前記口部が前記底部に臨むように前記底部に対して前記小容器が起立した状態で、前記口部を支持する支持部が設けられており、
前記小容器は、前記口部に装着された多孔質体を有し、
前記多孔質体は、弾性体であり、前記口部を覆うように該口部に装着されており、
前記多孔質体が変形した状態で、前記支持部により前記口部が支持されることを特徴とする医療用具セット。
【請求項５】
底部と、該底部に立設された壁部とを有し、前記底部と前記壁部とで形成された収納空間を備える容器と、
端部に液体が出入りする口部を有し、可撓性を有する容器本体を備える小容器とを有し、
前記底部には、前記口部が前記底部に臨むように前記底部に対して前記小容器が起立した状態で、前記口部を支持する支持部が設けられており、
前記小容器は、前記口部に装着された多孔質体を有し、
前記口部は、前記多孔質体を前記容器本体に対して固定する固定部を有することを特徴とする医療用具セット。
【請求項６】
底部と、該底部に立設された壁部とを有し、前記底部と前記壁部とで形成された収納空間を備える容器と、
端部に液体が出入りする口部を有し、可撓性を有する容器本体を備える小容器とを有し、
前記底部には、前記口部が前記底部に臨むように前記底部に対して前記小容器が起立した状態で、前記口部を支持する支持部が設けられており、
前記容器は、前記壁部により複数の収納空間に仕切られており、
前記複数の収納空間のうちの１つが前記小容器が収納される収納空間であることを特徴とする医療用具セット。
【請求項７】
前記複数の収納空間のうち、前記小容器が収納される収納空間の他の収納空間には、腹膜透析に用いる医療用チューブを交換する際に用いる医療用具が収納される請求項６に記載の医療用具セット。
【請求項８】
前記支持部は、前記底部から突出し、前記口部に挿入される突起である請求項１ないし７のいずれかに記載の医療用具セット。
【発明の詳細な説明】
【技術分野】
【０００１】
本発明は、医療用具セットに関するものである。
【背景技術】
【０００２】
近年、腹膜透析による治療法は、人工腎臓による透析法に比べて、装置・器具が小型で簡易であり、治療費も安いこと、患者の負担が少ないこと等の理由から、注目されている。
【０００３】
この腹膜透析法のうち、特に連続的携帯式腹膜透析法（continuous ambulatory peritoneal dialysis,以下、「ＣＡＰＤ」という）は、患者自身が自宅や職場で透析液のバッグの交換を行うことができるため、社会復帰がし易く、大いに注目されている。
【０００４】
このＣＡＰＤは、患者の腹腔内にカテーテルチューブ（腹膜カテーテル）を留置し、このカテーテルチューブの体外端にトランスファーチューブ（医療用チューブ）を接続し、これに透析液の入った透析液バッグのバッグチューブを接続し、各チューブを通じて透析液バッグ内の透析液を腹腔内に注液し、所定時間透析を行った後、腹腔内の透析液排液を前記各チューブを通じて、排液バッグ内に回収するものである。なお、各チューブ同士の接続は、両チューブの端部にそれぞれ装着された雄、雌コネクタの嵌合により無菌的に行われる。
【０００５】
ここで、トランスファーチューブは、所定期間毎、例えば、６箇月毎に、新しいものに交換する必要がある。トランスファーチューブを交換する際は、古いトランスファーチューブのコネクタをカテーテルチューブのコネクタから取り外し、カテーテルチューブのコネクタを消毒液で消毒した後、そのカテーテルチューブのコネクタに新しいトランスファーチューブのコネクタを接続する。前記カテーテルチューブのコネクタの消毒は、スポイトにより消毒液を吸入し、そのスポイトを用いて行う。
【０００６】
このようなトランスファーチューブの交換に用いられる医療用具、例えば、ドレープ、ガーゼ、レンチ、スポイト等は、所定の容器に収納されている（例えば、非特許文献１参照）。なお、前記容器と、その容器に収納された各医療用具とで、医療用具セットが構成される。
【０００７】
しかしながら、前記従来の医療用具セットでは、スポイトが容器内で固定されていないので、スポイトが容器内で移動し、そのスポイトが傷付いたり、また、包材から容器を取り出した際に、スポイトが容器内から落下するおそれがある。
【０００８】
また、スポイトを収納する収納空間は、容器の底面に対して傾斜した傾斜面を持ち、その傾斜面にスポイトの把持部が接した状態で、スポイトが収納されている。このため、スポイトの収納空間に貯留した消毒液をスポイトで吸入する際、傾斜面に接している把持部を手で摘み上げてから消毒液を吸入するので、その作業に手間がかかるという問題がある。さらに、把持部が傾斜面に接した状態でスポイトが収納されているため、消毒液を収納空間に貯留する際に、消毒液が傾斜面を介して把持部に付着し、スポイトを把持した際に手から滑り落ちるおそれがある。
【先行技術文献】
【非特許文献】
【０００９】
【非特許文献１】コンパクト交換トレイ操作手順（Ｂａｘｔｅｒ）（バクスター株式会社）
【発明の概要】
【発明が解決しようとする課題】
【００１０】
本発明の目的は、容易かつ迅速に、小容器内に液体を吸入することができ、また、容器内で小容器が移動することを防止することができる医療用具セットを提供することにある。
【課題を解決するための手段】
【００１１】
このような目的は、下記（１）〜（８）の本発明により達成される。
（１）  底部と、該底部に立設された壁部とを有し、前記底部と前記壁部とで形成された収納空間を備える容器と、
端部に液体が出入りする口部を有し、可撓性を有する容器本体を備える小容器とを有し、
前記底部には、段差と、前記口部が前記底部に臨むように前記底部に対して前記小容器が起立した状態で、前記口部を支持する支持部が設けられていることを特徴とする医療用具セット。
【００１３】
（２）  前記支持部は、前記底部の深さの深い方の部位に設けられている上記（１）に記載の医療用具セット。
【００１４】
（３）  底部と、該底部に立設された壁部とを有し、前記底部と前記壁部とで形成された収納空間を備える容器と、
端部に液体が出入りする口部を有し、可撓性を有する容器本体を備える小容器とを有し、
前記底部には、前記口部が前記底部に臨むように前記底部に対して前記小容器が起立した状態で、前記口部を支持する支持部が設けられており、
前記小容器は、前記容器本体を変形させることにより前記口部から液体を吸引可能なものであり、前記支持部により前記口部が支持された状態で、前記収納空間に液体を貯留したとき、該液体を吸引可能であることを特徴とする医療用具セット。
【００１６】
（４）  底部と、該底部に立設された壁部とを有し、前記底部と前記壁部とで形成された収納空間を備える容器と、
端部に液体が出入りする口部を有し、可撓性を有する容器本体を備える小容器とを有し、
前記底部には、前記口部が前記底部に臨むように前記底部に対して前記小容器が起立した状態で、前記口部を支持する支持部が設けられており、
前記小容器は、前記口部に装着された多孔質体を有し、
前記多孔質体は、弾性体であり、前記口部を覆うように該口部に装着されており、
前記多孔質体が変形した状態で、前記支持部により前記口部が支持されることを特徴とする医療用具セット。
【００１８】
（５）  底部と、該底部に立設された壁部とを有し、前記底部と前記壁部とで形成された収納空間を備える容器と、
端部に液体が出入りする口部を有し、可撓性を有する容器本体を備える小容器とを有し、
前記底部には、前記口部が前記底部に臨むように前記底部に対して前記小容器が起立した状態で、前記口部を支持する支持部が設けられており、
前記小容器は、前記口部に装着された多孔質体を有し、
前記口部は、前記多孔質体を前記容器本体に対して固定する固定部を有することを特徴とする医療用具セット。
【００１９】
（６）  底部と、該底部に立設された壁部とを有し、前記底部と前記壁部とで形成された収納空間を備える容器と、
端部に液体が出入りする口部を有し、可撓性を有する容器本体を備える小容器とを有し、
前記底部には、前記口部が前記底部に臨むように前記底部に対して前記小容器が起立した状態で、前記口部を支持する支持部が設けられており、
前記容器は、前記壁部により複数の収納空間に仕切られており、
前記複数の収納空間のうちの１つが前記小容器が収納される収納空間であることを特徴とする医療用具セット。
【００２０】
（７）  前記複数の収納空間のうち、前記小容器が収納される収納空間の他の収納空間には、腹膜透析に用いる医療用チューブを交換する際に用いる医療用具が収納される上記（６）に記載の医療用具セット。
（８）  前記支持部は、前記底部から突出し、前記口部に挿入される突起である上記（１）ないし（７）のいずれかに記載の医療用具セット。
【発明の効果】
【００２１】
本発明によれば、容器の支持部により小容器の口部が支持されているので、容器内で小容器が移動してしまうことを防止することができ、これにより、小容器が傷付いてしまうことを防止することができる。
【００２２】
また、小容器は、その口部が容器の底部に臨むように底部に対して小容器が起立した状態で支持されているので、小容器により液体を吸入する際は、その小容器が前記起立したままの状態で、収納空間に液体を貯留し、小容器により液体を吸入することができる。このように、容易かつ迅速に、小容器により液体を吸入することができる。
【図面の簡単な説明】
【００２３】
【図１】本発明の医療用具セットの実施形態を示す断面図である。
【図２】図１に示す医療用具セットの容器を示す平面図である。
【図３】図１に示す医療用具セットのスポイトを示す図である。
【図４】図１に示す医療用具セットの使用例を説明するための断面図である。
【発明を実施するための形態】
【００２４】
以下、本発明の医療用具セットを添付図面に示す好適な実施形態に基づいて詳細に説明する。
【００２５】
＜第１実施形態＞
図１は、本発明の医療用具セットの実施形態を示す断面図、図２は、図１に示す医療用具セットの容器を示す平面図である。図３は、図１に示す医療用具セットのスポイトを示す図であって、図３（ａ）は、側面図、図３（ｂ）は、縦断面図である。図４は、図１に示す医療用具セットの使用例を説明するための断面図である。なお、図１および図４は、それぞれ、医療用具セットについての図２中のＡ−Ａ線での断面図である。
【００２６】
以下では、図２中の紙面表側を「上」、紙面裏側を「下」、左側を「左」、右側を「右」として説明を行う。
【００２７】
図１〜図４に示す医療用具セット１は、腹膜透析において用いるもの、具体的には、腹膜透析に用いる医療用チューブを交換する際に用いるものである。
【００２８】
図１に示すように、医療用具セット１は、容器２と、容器２に収納されるスポイト（小容器）３等の各医療用具とを備えている。なお、図１では、スポイト３以外の医療用具は、図示されていない。
【００２９】
まずは、スポイト３について説明する。
図３に示すように、スポイト３は、可撓性を有するスポイト本体（容器本体）４と、多孔質体、すなわち多孔質の弾性体として、スポンジ５とを備えている。なお、多孔質体は、弾性を有するものが好ましいが、弾性を有していないもの、すなわち硬質のものであってもよい。
【００３０】
スポイト本体４は、後述する口部４１からその内腔に液体を吸引して貯留し、また、内腔に貯留された液体を口部４１から排出する機能を有している。この液体の吸引および排出は、それぞれ、スポイト本体４を変形させることによりなされる。
【００３１】
スポイト本体４は、その先端部に液体が出入りする口部４１を有している。この口部４１は、液体が出入りする部位であり、スポイト本体４の口部４１よりも基端側の部位に比べて、その外径および内径がそれぞれ縮径している。なお、前記液体としては、特に限定されないが、本実施形態では、例えば、消毒液である。
【００３２】
また、口部４１は、消毒を行う部材、本実施形態では、患者の腹腔内に留置されたカテーテルチューブの体外端に設けられたコネクタ等が、後述するスポンジ５を介して挿入し得るようになっている。
【００３３】
また、スポイト本体４の各側面、すなわち、図３中の紙面に対して表側および裏側の面は把持部を構成している。そして、この把持部には、それぞれ、スポイト本体４の軸方向と直交する方向に延在する複数のリブ４２が形成されている。この各リブ４２は、スポイト本体４の軸方向に沿って、等間隔で並設されている。この各リブ４２は、滑り止め手段であり、スポイト本体４を把持した際、各リブ４２により、スポイト本体４が滑ってしまうことを防止することができる。
【００３４】
なお、スポイト本体４の構成材料としては、特に限定されず、例えば、軟質ポリ塩化ビニル、ポリエチレン、ポリプロピレン、ポリウレタン、ポリアミド、ポリテトラフルオロエチレン、シリコーンゴム、エチレン−酢酸ビニル共重合体のような可撓性を有する各種樹脂材料等が挙げられる。
【００３５】
スポンジ５は、スポイト本体４の口部４１を覆うように口部４１に装着されている。本実施形態では、スポンジ５は、口部４１に嵌合している。
【００３６】
また、スポンジ５の中央部には、スポイト本体４の軸方向に沿って延在する貫通孔５１が形成されている。この貫通孔５１には、消毒を行う部材や、後述する容器２の突起２６等が挿入される（図１参照）。
【００３７】
なお、スポイト３は、後述する容器２の突起２６によりその口部４１が支持された状態で、後述する容器２の収納空間２３に消毒液を貯留したとき、前記スポンジ５を介して、その消毒液を吸引することができるようになっている。
【００３８】
スポンジ５の構成材料としては、特に限定されず、例えば、ポリウレタン、ポリビニルアルコール、ポリプロピレン、ポリエーテルポリアミド、ポリエチレンテレフタレート、ポリブチレンテレフタレート等の合成樹脂からなる発泡体等が挙げられる。
【００３９】
また、前記スポイト本体４の口部４１の先端部の外周部には、リブ４１１が形成されている。リブ４１１は、口部４１の周方向に沿って全周に亘って延在している。すなわち、リブ４１１は、環状をなしている。
【００４０】
このリブ４１１は、スポンジ５をスポイト本体４に対して固定する機能を有している。したがって、リブ４１１は、スポンジ５をスポイト本体４に対して固定する固定部を構成している。具体的には、スポイト３の口部４１、すなわち、スポンジ５の貫通孔５１に後述する容器２の突起２６や、消毒を行う部材が挿入されている状態から、それを引き抜く際、リブ４１１により、口部４１からスポンジ５が離脱してしまうことを防止することができる。
【００４１】
以上説明したスポイト３は、次のように使用される。すなわち、そのスポイト本体４の口部４１からスポイト本体４内に、液体、本実施形態では、消毒液を吸入する。次いで、スポイト３は、そのスポイト本体４内に消毒液を貯留した状態で、スポンジ５の貫通孔５１に消毒を行う部材を挿入して、消毒を行なう。消毒を行う際は、例えば、前記部材に対してスポイト３を、スポイト本体４の軸を中心に、正逆両方向に交互に所定角度ずつ複数回、回転させる。このように消毒を行なうことで、前記部材に消毒液を十分に接触させることができる。
【００４２】
消毒を行う部材としては、特に限定されないが、本実施形態では、患者の腹腔内に留置されたカテーテルチューブ（腹膜カテーテル）の体外端に設けられたコネクタ等である。すなわち、前記カテーテルチューブのコネクタには、トランスファーチューブ（医療用チューブ）のコネクタが着脱自在に接続されており、そのトランスファーチューブを交換する際、スポイト３を用いてカテーテルチューブのコネクタを消毒する。
【００４３】
次に、容器２について説明する。
図１および図２に示すように、容器２は、底部２１と、底部２１に立設された壁部２２とを有している。容器２の形状は、本実施形態では、平面視で、長方形をなしている。なお、容器２の形状は、長方形に限定されず、この他、例えば、平面視で、正方形等が挙げられる。
【００４４】
そして、容器２は、底部２１と壁部２２とで形成された３つの収納空間２３、２４および２５を備えている。すなわち、容器２の内部は、壁部２２により、収納空間２３、２４および２５の３つの空間に仕切られている。収納空間２３は、図２中左下側に配置され、収納空間２４は、図２中左上側に配置され、収納空間２５は、図２中右側に配置されている。
【００４５】
また、収納空間２３および２４と、収納空間２５とを仕切る壁部２２の途中の上部には、欠損部２７が形成され、その欠損部２７には、収納空間２８が形成されている。すなわち、収納空間２８は、収納空間２３と、収納空間２５との間に配置されている。
【００４６】
各収納空間２３、２４、２５および２８の形状は、本実施形態では、それぞれ、平面視で、長方形をなしている。なお、各収納空間２３、２４、２５および２８の形状は、それぞれ、長方形に限定されず、この他、例えば、平面視で、正方形等の四角形や、三角形、五角形等の多角形や、円形、楕円形等が挙げられる。
【００４７】
各収納空間２３、２４、２５および２８には、それぞれ、所定の医療用具等、本実施形態では、腹膜透析に用いられるトランスファーチューブ、すなわち、患者の腹腔内に留置されたカテーテルチューブの体外端にコネクタを介して着脱自在に接続されたトランスファーチューブを交換する際に使用する医療用具等が収納される。
【００４８】
すなわち、収納空間２３には、例えば、スポイト３、図示しないガーゼ等が収納される。また、収納空間２４には、例えば、図示しないガーゼ等が収納される。また、収納空間２５には、例えば、図示しないドレープ、レンチ等が収納される。また、収納空間２８には、例えば、図示しないクランプ等が収納される。
【００４９】
また、収納空間２３は、液体を貯留する空間、本実施形態では、トランスファーチューブを交換する際、消毒液を貯留する空間として使用される。
【００５０】
この収納空間２３の底部２１には、段差が形成されている。すなわち、収納空間２３の底部２１は、その一部が底上げされ、底部２１の深さが２段階に設定されている。
【００５１】
そして、収納空間２３の底部２１の底上げされていない部位、すなわち、底部２１の深さの深い方の部位２１１には、スポイト３の口部４１を支持する支持部として、底部２１から突出し、口部４１に挿入される突起２６が形成されている。この突起２６は、スポイト３の口部４１が底部２１に臨むようにその底部２１に対してスポイト３が起立した状態で、口部４１を支持する。この場合、突起２６は、スポンジ５の貫通孔５１に挿入され、そのスポンジ５が突起２６に沿って変形した状態で、突起２６により口部４１が支持される。
【００５２】
これにより、容器２内でスポイト３が移動してしまうことを防止することができ、これによって、スポイト３が傷付いてしまうことを防止することができる。
【００５３】
また、トランスファーチューブを交換する際は、図４に示すように、突起２６がスポイト３の口部４１に挿入され、スポイト３が起立したままの状態で、消毒液を収納空間２３の底部２１の深さの深い方の部位２１１に注入し、貯留する。そして、そのスポイト３が起立したままの状態で、スポイト３により消毒液を吸入する。これにより、容易かつ迅速に、スポイト３により消毒液を吸入する作業を行うことができる。
【００５４】
また、スポイト３で消毒液を吸入する際、スポイト３が起立したままの状態のため、把持部が容器２の壁部２２や段差などと接触することがなく、貯留した消毒液が壁部２２や段差などを介して把持部に付着することがない。これにより、消毒液を吸入したスポイト３を把持した際に、手から滑り落ちることがない。さらに、スポイト３に消毒液を吸引した後も、スポイト３が起立したままの状態のため、一度スポイト３から手を放しても、スポイト３が貯留した消毒液の中に倒れることがない。これにより、スポイト３に消毒液を吸引した後に、一度スポイト３から手を放して、他の作業、例えば、トランスファーチューブのコネクタをカテーテルチューブのコネクタから取り外す作業を行なうことができる。
【００５５】
また、収納空間２３の底部２１の段差は、その底部２１の底上げされている部位、すなわち底部２１の深さの浅い方の部位２１２の表面と消毒液の液面とが一致するか、または、底部２１の深さの浅い方の部位２１２の表面よりも消毒液の液面が若干低くなるように、底部２１の深さの深い方の部位２１１に消毒液を注入した場合に、その消毒液の深さが好適な深さになるように設定されている。これにより、消毒液を収納空間２３の底部２１の深さの深い方の部位２１１に貯留する際は、その段差を見ながら、底部２１の深さの浅い方の部位２１２の表面と消毒液の液面とが一致するか、または、底部２１の深さの浅い方の部位２１２の表面よりも消毒液の液面が若干低くなるように消毒液を注入することにより、容易かつ確実に、消毒液の深さを好適な深さに設定することができる。
【００５６】
また、収納空間２３の底部２１の段差を設けることにより、消毒液の使用量、すなわち、収納空間２３に貯留する消毒液の量を少なくしつつ、スポイト３により消毒液を吸入する際、確実に、スポイト本体４を把持することができる。
【００５７】
前記突起２６は、本実施形態では、円錐状をなし、その先端部は、丸みを帯びている。なお、突起２６の形状は、これに限定されず、この他、例えば、円柱状、角柱状等が挙げられる。また、突起２６の外周面は、湾曲していてもよい。
【００５８】
また、突起２６の寸法は、特に限定されず、スポイト３の寸法等の諸条件に応じて適宜決定されるものであるが、その高さは、０．５〜３ｃｍであることが好ましく、０．８〜１．５ｃｍであることがより好ましい。
【００５９】
また、突起２６の中心軸２６１に対する外周面２６２の傾斜角度θは、４５〜９０度であることが好ましく、８０〜９０度であることがより好ましい。
【００６０】
容器２の構成材料としては、特に限定されず、例えば、紙、ポリ塩化ビニル、ポリエチレン、ポリプロピレン、ポリスチレン、ポリ−（４−メチルペンテン−１）、ポリカーボネート、アクリル樹脂、アクリルニトリル−ブタジエン−スチレン共重合体、ポリエチレンテレフタレート等のポリエステル、ブタジエン−スチレン共重合体、ポリアミドのような各種樹脂等が挙げられる。
【００６１】
なお、以上述べた医療用具セット１は、例えば、図示しない包材内に収納され、その包材は、密閉される。
【００６２】
次に、医療用具セット１の使用例（作用）、すなわち、スポイト３により消毒液を吸引する作業を行う際の操作手順を説明する。
【００６３】
まず、医療用具セット１を図示しない包材から取り出す。そして、容器２の収納空間２３からガーゼ等を取り出し、スポイト３のみを残す。このスポイト３は、その口部４１に突起２６が挿入されて支持され、起立したままの状態とする。なお、消毒液に浸すガーゼについては、その収納空間２３内に残したままで、底部２１の深さの深い方の部位２１１に寄せるだけでもよい。
【００６４】
次に、図４に示すように、収納空間２３の底部２１の深さの深い方の部位２１１に、消毒液を所定量注入し、貯留する。この場合、収納空間２３の底部２１の深さの浅い方の部位２１２の表面と消毒液の液面とが一致するか、または、底部２１の深さの浅い方の部位２１２の表面よりも消毒液の液面が若干低くなるように消毒液を注入する。
【００６５】
次に、スポイト３のスポイト本体４を変形させる。すなわち、スポイト本体４の把持部を摘んで、押し潰し、その後、離すことにより、スポイト本体４内に消毒液が吸引される。なお、消毒液は、スポンジ５を透過して、スポイト本体内に流入する。
【００６６】
以上で消毒の準備が完了し、この後、トランスファーチューブを交換する作業を行う。この際は、スポイト３を突起２６から抜き取り、前述したよう、そのスポンジ５の貫通孔５１に消毒を行うカテーテルチューブのコネクタを挿入し、そのコネクタに対してスポイト３を、スポイト本体４の軸を中心に、正逆両方向に交互に所定角度ずつ複数回、回転させる。これにより、カテーテルチューブのコネクタが消毒される。
【００６７】
以上、本発明の医療用具セットを、図示の実施形態に基づいて説明したが、本発明はこれに限定されるものではなく、各部の構成は、同様の機能を有する任意の構成のものに置換することができる。また、本発明に、他の任意の構成物が付加されていてもよい。
【００６８】
なお、前記実施形態では、容器は、３つの収納空間を備えているが、本実施形態では、これに限らず、容器は、１つの収納空間を備えていてもよく、また、２つの収納空間を備えていてもよく、また、４つ以上の収納空間を備えていてもよい。
【００６９】
また、本発明の医療用具セットは、腹膜透析において用いるもの、すなわち、腹膜透析に用いる医療用チューブを交換する際に用いるものには限定されず、例えば、外科手術等の際に用いるものであってもよい。
【符号の説明】
【００７０】
１              医療用具セット
２              容器
２１            底部
２１１          深さの深い方の部位
２１２          深さの浅い方の部位
２２            壁部
２３、２４、２５  収納空間
２６            突起
２６１          中心軸
２６２          外周面
２７            欠損部
２８            収納空間
３              スポイト
４              スポイト本体
４１            口部
４１１、４２    リブ
５              スポンジ
５１            貫通孔
【図１】
0005844670.tif 000002
【図２】
0005844670.tif 000003
【図３】
0005844670.tif 000004
【図４】
0005844670.tif 000005